(57)【要約】  【課題】  器具本体内に挿通する電線の固定を電線管継手内で行い、別途電線固定用部材を器具本体内に設ける必要がないようにする。  【解決手段】  器具本体内に接続線４を導入するためのガイドとして作用すると共に保護管との連結具として作用する電線管継手であって、前記電線管継手は、一端に器具本体への取付部３を設け、接続線４が挿通する内周面適所に前記接続線４を保持するための固定手段７を一体的に設けた構成としてある。【選択図】  図１
2005073470.tif 000002
【特許請求の範囲】
【請求項１】
器具本体内に接続線を導入するためのガイドとして作用すると共に保護管との連結具として作用する電線管継手であって、前記電線管継手は、一端に器具本体への取付部を設け、接続線が挿通する内周面適所に前記接続線を保持するための固定手段を一体的に設けたことを特徴とする電線管継手。
【請求項２】
固定手段は、爪内面と継手内周面で形成する内接円の直径が接続線の外径より小さい断面形状の２個で一対となる電線固定爪で接続線を挟み込むようにした請求項１記載の電線管継手。
【請求項３】
固定手段は、爪内面と継手内周面で形成する内接円の直径が接続線の外径より小さい断面形状の１個の電線固定爪で接続線を挟み込むようにした請求項１記載の電線管継手。
【請求項４】
電線固定爪の近傍に滑り止め突起を設けた請求項３記載の電線管継手。
【請求項５】
固定手段は、継手内周面に設けた接続線埋設用の溝部と、その溝部の縁に設けた接続線外れ防止用の突起部で接続線を埋め込むように固定した請求項１記載の電線管継手。
【請求項６】
固定手段は、継手内周面に接続線を挿通する環状の固定環を設け、前記固定環にその内径を変更する可変保持手段を形成し、前記固定環の内径を小さくすることで接続線を固定するようにした請求項１記載の電線管継手。
【請求項７】
可変保持手段は、固定環の２箇所以上にヒンジとして作用する薄肉部を形成し、成型時は前記固定環の内径が接続線外径より大きく、前記薄肉ヒンジ部を支点に押しつぶすことで、固定環の内径を接続線外径より小さく変形させ、接続線を押さえ込むようにした請求項６記載の電線管継手。
【発明の詳細な説明】
【技術分野】
【０００１】
本発明は、器具本体への接続線などを引き込む電線管継手に関し、特に接続線の固定方法に関するものである。
【背景技術】
【０００２】
従来の電線管継手、例えば給湯機用電線管継手としては、全体が樹脂成型で、円筒状の外周に電線管接続用ねじが切ってあり、管内部は単純な円筒のものがあった（例えば、特許文献１参照）。
【０００３】
図６は、従来の給湯機用電線管継手を示すものであり、その構成について説明すると、給湯機用電線管継手には継手円筒部１の外周に電線管接続用のねじ部２が切ってあり、その一端側にはフランジ部３が設けられ、継手円筒部１の内側は丸穴が貫通している。そして、前記丸穴貫通部に電線４を挿通し、給湯機の筐体５内に導き、筐体５の適所に設けた電線固定部にてクランプ部品６により電線４を固定している。
【特許文献１】特開２０００−３４１８２１号公報
【発明の開示】
【発明が解決しようとする課題】
【０００４】
しかしながら、従来の電線管継手の構成では、電線管継手の円筒部内径は電線の直径に比べ大きく、また、電線の固定機能もないので、手で押し込めば自由に電線が器具本体内に入ってしまうため、電線を器具本体内部でクランプ部品を介して固定しなければならないという問題があった。
【０００５】
また、複数の電線を器具本体内に引き込む場合は、電線の数だけクランプ部品を追加する必要があった。
【０００６】
本発明は上記従来の課題を解決するもので、器具本体内に挿通する電線の固定を電線管継手内で行い、別途電線固定用部材を器具本体内に設ける必要がないようにすることを目的とする。
【課題を解決するための手段】
【０００７】
上記目的を達成するため本発明の電線管継手は、一端に器具本体への取付部を設け、接続線が挿通する内周面適所に前記接続線を保持するための固定手段を一体的に設けたものである。
【０００８】
上記発明によれば、接続線を器具本体内に導入するとき、電線管継手の内面に設けた固定手段により接続線を電線管継手内で固定することができるため、器具本体内に電線固定用クランプ部品などを追加する必要がなく、構成の簡素化、配線作業の容易化を図ることができる。
【発明の効果】
【０００９】
以上のように本発明によれば、接続線を器具本体内に導入するとき、電線管継手の内面に設けた固定手段により接続線を電線管継手内で固定することができるため、器具本体内に電線固定用クランプ部品などを追加する必要がなく、構成の簡素化、配線作業の容易化を図ることができる。
【発明を実施するための最良の形態】
【００１０】
請求項１に記載の発明は、器具本体内に接続線を導入するためのガイドとして作用すると共に保護管との連結具として作用する電線管継手であって、前記電線管継手は、一端に器具本体への取付部を設け、接続線が挿通する内周面適所に前記接続線を保持するための固定手段を一体的に設けたことを特徴とするものであり、接続線を器具本体内に導入するとき、電線管継手の内面に設けた固定手段により接続線を電線管継手内で固定することで、別に電線固定用部材により接続線を固定する必要がなくなり、配線作業が簡単に行え、構成の簡素化も図れるものである。
【００１１】
請求項２に記載の発明は、固定手段として、爪内面と継手内周面で形成する内接円の直径が接続線の外径より小さい断面形状の２個で一対となる電線固定爪で接続線を挟み込むようにしたことを特徴とするものであり、２個の電線固定爪を電線管継手と一体成形するという簡単な構成で接続線固定手段を実現したものである。
【００１２】
請求項３に記載の発明は、固定手段はとして、爪内面と継手内周面で形成する内接円の直径が接続線の外径より小さい断面形状の１個の電線固定爪で接続線を挟み込むようにしたことを特徴とするものであり、１個の電線固定爪を電線管継手と一体成形して接続線固定手段を実現したものである。
【００１３】
請求項４に記載の発明は、電線固定爪の近傍に滑り止め突起を設けたことを特徴とするものであり、爪内側に電線を通して爪と突起のエッジで電線を挟み込み、電線を固定するものである。
【００１４】
請求項５に記載の発明は、固定手段として、継手内周面に設けた接続線埋設用の溝部と、その溝部の縁に設けた接続線外れ防止用の突起部で接続線を埋め込むように固定したことを特徴とするものであり、溝部と突起部を電線管継手と一体成形して接続線固定手段を実現したもので、溝部に電線を通すことで、電線を溝部と外れ防止用突起部で挟み込み、電線を固定するものである。
【００１５】
請求項６に記載の発明は、固定手段として、継手内周面に接続線を挿通する環状の固定環を設け、前記固定環にその内径を変更する可変保持手段を形成し、前記固定環の内径を小さくすることで接続線を固定するようにしたことを特徴とするものであり、可変保持手段を設けた固定環を電線管継手と一体成形して接続線固定手段を実現したもので、固定環に接続線を挿通させた状態で、可変保持手段により固定環の内径を小さくして、電線を固定するものである。
【００１６】
請求項７に記載の発明は、可変保持手段として、固定環の２箇所以上にヒンジとして作用する薄肉部を形成し、成型時は前記固定環の内径が接続線外径より大きく、前記薄肉ヒンジ部を支点に押しつぶすことで、固定環の内径を接続線外径より小さく変形させ、接続線を押さえ込むようにしたことを特徴とするものである。
【実施例】
【００１７】
以下、本発明の実施例について図面を参照して説明する。
【００１８】
（実施例１）
図１は本発明の実施例１の電線管継手の構成図であり、その構成は円筒形の継手円筒部１があり、その一端には器具本体に取り付けるためのフランジ部３が設けられている。継手円筒部１の内面は丸穴で貫通しており、その内周面適所に左右対称の２つの電線固定爪７が設けられ、内側を挿通する接続線の固定手段を構成している。この電線管継手は全体が樹脂成型により構成され、前記電線固定爪７も一体成形されている。
【００１９】
そして、前記電線固定爪７と継手円筒部１の内周面で形成する内接円の直径φＤは、内部を挿通する電線の外径φｄよりわずかに小さく設定している。
【００２０】
以上のように本実施例においては、電線管継手の内周面に電線固定爪７を設けることにより、２つの電線固定爪７の間に電線４を押し込めば、電線固定爪７の弾性で電線４を挟み込むことができ、電線４が器具本体内に押し込まれないよう固定が可能となる。
【００２１】
なお、本実施例において、電線４を固定するために２個で１対となる電線固定爪７を設けたが、図２のように１つの電線固定爪７で、爪内側と継手円筒部１内面に挟まれる空間で電線４を挟み込んでもよい。
【００２２】
さらには、図３のように電線固定爪７の近傍に滑り止め突起８を設け、電線固定爪７と滑り止め突起８のエッジで電線４を挟み込み、電線固定爪７だけの弾性だけでなく、電線４の曲げ変形を利用し電線軸方向の摩擦力を高めることで電線４を固定してもよい。
【００２３】
（実施例２）
図４は本発明の実施例２の電線管継手の構成図であり、実施例２の電線管継手は円筒形の継手円筒部１があり、その一端には給湯機と取り付けるためのフランジ部２が設けられている。継手円筒部１の内面は穴が貫通している。継手円筒部１の内面には電線４を埋め込めるだけの厚肉部８があり、その厚肉部８には溝部１０が設けられている。さらに溝部１０の縁には外れ防止突起１１が設けられている。溝部１０および外れ防止突起１１からなる内接円の直径φＤは電線外径φｄよりわずかに小さい。
【００２４】
以上のように本実施例においては、溝部１０を設けることにより、溝部１０に電線を押し込めば溝部１０及び外れ防止突起１１と電線との摩擦により、電線が器具本体内に押し込まれないよう固定が可能となる。
【００２５】
（実施例３）
図５は本発明の実施例３の電線管継手の構成図であり、実施例３の電線管継手は円筒形の継手円筒部１があり、その一端には給湯機と取り付けるためのフランジ部２が設けられている。継手円筒部１の内面は丸穴が貫通している。そして、継手円筒部１の内面には電線を挿通するための環状の電線固定環１２が設けられ、この電線固定環１２にその内径を変更するための可変保持手段を設けてある。可変保持手段は電線固定環１２に電線を挿通した後、その内径を小さくするように作用させるもので、具体的構成の一例として、前記電線固定環１２の２箇所に薄肉部１３を設け、２箇所の薄肉部１３に挟まれた電線押さえ部１４は当初、電線固定環１２外周方向にアーチ状に反っている。
【００２６】
そして、電線押さえ部１４を内側に押し込むと、薄肉部１３はヒンジの役目を果たし、電線押さえ部１４は薄肉部１３を支点に逆反る構造となっている。
【００２７】
成型時は電線固定環１２内面と継手円筒部１の内面からなる内接円の直径φＤが電線外径φｄより大きく、電線押さえ部１４を押し込むことにより、逆反りした電線押さえ部１４と継手円筒部１の内面からなる内接円の直径φＤ２は電線外形φｄより小さくなる。
【００２８】
以上のように本実施例においては、薄肉部１３を含んだ電線固定環１２を設けることにより、電線固定環１２に電線４を通した後、電線押さえ部１４を押し込めば電線４を挟み込むことができ、電線４が器具本体内に押し込まれないよう固定が可能となる。
【図面の簡単な説明】
【００２９】
【図１】本発明の実施例１における電線管継手の構成図
【図２】本発明の実施例１における他の電線管継手の構成図
【図３】本発明の実施例１における他の電線管継手の構成図
【図４】本発明の第２の実施例における電線管継手の構成図
【図５】本発明の第３の実施例における電線管継手の構成図
【図６】従来例における給湯機用電線管継手の構成図
【符号の説明】
【００３０】
１  継手円筒部
２  ねじ部
３  フランジ部（取付部）
４  電線（接続線）
７  電線固定爪（固定手段）
【図１】
2005073470.tif 000003
【図２】
2005073470.tif 000004
【図３】
2005073470.tif 000005
【図４】
2005073470.tif 000006
【図５】
2005073470.tif 000007
【図６】
2005073470.tif 000008